(57)【要約】【課題】  悪意のある者が鍵穴をピッキングすること等により不正に解錠することを防止する施解錠装置、その施解錠装置を備えた収納装置、配送物収納装置及びその施解錠装置を解錠する鍵を提供する。【解決手段】  ロッカー装置１は、複数の収納ボックス２を有して構成されている。各収納ボックス２は、開口面を有して箱状に形成されその内部に物品が収納される収納室３と、その収納室２とヒンジ等で結合されその収納室２の開口面を閉止可能に構成される扉４と、その扉４の背面側に設けられている施錠用のフック５と、施錠時にはそのフック５と係合して収納ボックス２の施錠を行う施解錠装置１０とを有して構成される。【選択図】        図１
2015014106.tif 000002
【特許請求の範囲】
【請求項１】
扉を備えた物品において該扉の施解錠を行う施解錠装置であって、
鍵部材を挿入する鍵穴として機能する部分を備えた鍵穴部を有し、
前記鍵穴として機能する部分は、閉扉時には扉間の間隙又は扉と枠体の間隙と重なる位置に外部からは隠蔽されて配置されることを特徴とする施解錠装置。
【請求項２】
前記鍵穴として機能する部分を含む鍵部材が通過する経路を有し、
前記経路は閉扉時には隠蔽され、前記鍵部材が前記経路を通過させることにより解錠を行うことを特徴とする請求項１記載の施解錠装置。
【請求項３】
前記鍵穴部は、鍵部材を挿入する鍵穴として機能する第１の間隙を形成するとともに、該第１の間隙に挿入した鍵部材を回転させるときに該鍵部材の先端部が通過する第２の間隙を形成することを特徴とする請求項２記載の施解錠装置。
【請求項４】
前記第１の間隙の幅又は径は、前記鍵部材の柄部及び先端部が挿入可能な大きさに形成されていることを特徴とする請求項３記載の施解錠装置。
【請求項５】
前記第２の間隙の幅又は径は、前記鍵部材の先端部が通過可能な大きさに形成されていることを特徴とする請求項３又は４記載の施解錠装置。
【請求項６】
扉を施錠して閉扉する施解錠部と、
前記鍵部材の先端部より幅又は径が大きな切欠きとをさらに有し、
前記切欠きに前記鍵部材の先端部を挿嵌させると、前記施解錠部を作動させて解錠させることを特徴とする請求項３から５のいずれか１項に記載の施解錠装置。
【請求項７】
前記施解錠部を解錠させる解錠動作部をさらに有し、
前記切欠きに前記第２の間隙を通過した鍵部材の先端部を挿嵌させ、前記解錠動作部を押圧すると、前記施解錠部を作動させて解錠させることを特徴とする請求項６記載の施解錠装置。
【請求項８】
前記請求項１から７のいずれか１項に記載の施解錠装置を備えたことを特徴とする扉付き構造物。
【請求項９】
前記請求項１から７のいずれか１項に記載の施解錠装置を備えたことを特徴とする配送物収納装置。
【請求項１０】
前記請求項１から７のいずれか１項に記載の施解錠装置による扉の施解錠に用いられる鍵部材であって、
柄部と、
該柄部と所定角度の傾斜をなして設けられる先端部とを有することを特徴とする鍵部材。
【発明の詳細な説明】
【技術分野】
【０００１】
本発明は、施解錠装置、扉付き構造物、配送物収納装置及びその施解錠装置を解錠する鍵に関し、特に、ピッキング等の不正解錠を防止する施解錠装置、扉付き構造物、配送物収納装置及びその施解錠装置を解錠する鍵を提供することを目的とする。
【背景技術】
【０００２】
例えば、ロッカー又は金庫等の収納装置や、その他自動販売機や配電盤等の開閉扉を有するものには、防犯のため施解錠装置が取り付けられるのが一般的である。
この施解錠装置は、例えば、複雑な形状の鍵でなければ解錠できないような特別の錠前を用いたり、パスワードや生体情報を入力しなければ解錠できないようにしたりすることによって、その防犯性を高めている。
【０００３】
しかしながら、上記のように錠前に工夫を凝らしたとしても、鍵穴やパスワードの入力装置が露出しているため、悪意のある者によってピッキングされたり、錠前自体が破壊されたりして強制的に解錠される場合があった。
【０００４】
上記のような問題を解決するものの１つとして、特許文献１に開示される開閉扉の施解錠装置が提案されている。
この施解錠装置には、鍵部材の柄部が挿入可能な迷路状の溝部が設けられており、鍵部材の柄部がその溝部を移動して、かつ、鍵部がその溝部の経路上の所定の位置を通過しなければ、鍵穴に相当する施解錠部材に到達することができないように構成されている。
このように、特許文献１が開示するところの施解錠装置は、鍵部が施解錠部材へ到達するために、一定の径路を通過しなければならない構成を採用したことによって、ピッキング等の悪意のある手段で施解錠されることを困難にすることを可能にしている。
【先行技術文献】
【特許文献】
【０００５】
【特許文献１】特開２０１０−２５５２８６
【発明の概要】
【発明が解決しようとする課題】
【０００６】
しかしながら、上記特許文献１が開示するところの施解錠装置には、それでもなお以下のような問題点がある。
すなわち、上記の通り、特許文献１の施解錠装置は、鍵穴に相当する施解錠部材に至るまでに迷路状の溝部における一定の経路を通過しなければならないように構成することにより、その防犯性を高めるものではあるが、鍵部材を挿入する溝部自体は表面に露出しているので、悪意のある者はある程度時間を費やせば解錠可能となってしまうおそれがある。
【０００７】
本発明は、上記問題点に鑑みてなされたものであり、悪意のある者が鍵穴をピッキングすること等により不正に解錠することを防止する施解錠装置、扉付き構造物、配送物収納装置及びその施解錠装置を解錠する鍵を提供することを目的とする。
【課題を解決するための手段】
【０００８】
かかる目的を達成するため、本発明は、扉を備えた物品において扉の施解錠を行う施解錠装置であって、鍵部材を挿入する鍵穴として機能する部分を備えた鍵穴部を有し、鍵穴として機能する部分は、閉扉時には扉間の間隙又は扉と枠体の間隙と重なる位置に外部からは隠蔽されて配置されることを特徴とする。
【０００９】
また、本発明における施解錠装置は、鍵穴として機能する部分を含む鍵部材が通過する経路を有し、経路は閉扉時には隠蔽され、鍵部材が経路を通過させることにより解錠を行うことを特徴とする。
【００１０】
また、本発明における施解錠装置によれば、鍵穴部は、鍵部材を挿入する鍵穴として機能する第１の間隙（鍵穴状の間隙３１）を形成するとともに、第１の間隙に挿入した鍵部材を回転させるときに鍵部材の先端部が通過する第２の間隙（鍵回転用の間隙３２）を形成することを特徴とする。
【００１１】
また、本発明における施解錠装置によれば、第１の間隙の幅又は径は、鍵部材の柄部及び先端部が挿入可能な大きさに形成されていることを特徴とする。
【００１２】
また、本発明における施解錠装置によれば、第２の間隙の幅又は径は、鍵部材の先端部が通過可能な大きさに形成されていることを特徴とする。
【００１３】
また、本発明における施解錠装置によれば、扉を施錠して閉扉する施解錠部と、鍵部材の先端部より幅又は径が大きな切欠きとをさらに有し、切欠きに鍵部材の先端部を挿嵌させると、施解錠部を作動させて解錠させることを特徴とする。
【００１４】
また、本発明における施解錠装置は、施解錠部を解錠させる解錠動作部（解錠レバー１４）をさらに有し、切欠きに第２の間隙を通過した鍵部材の先端部を挿嵌させ、解錠動作部を押圧すると、施解錠部を作動させて解錠させることを特徴とする。
【００１５】
また、本発明は、上記の施解錠装置を備えた扉付き構造物（ロッカー装置１等、その他扉又は蓋での封止が必要なものを含む）であることを特徴とする。
【００１６】
また、本発明は、上記の施解錠装置を備えた配達物収納装置（宅配ロッカー装置、メールボックス装置、メールボックス一体型宅配ロッカー装置）であることを特徴とする。
【００１７】
また、本発明は、上記の施解錠装置による扉の施解錠に用いられる鍵部材であって、柄部と、柄部と所定角度の傾斜をなして設けられる先端部とを有することを特徴とする。
【発明の効果】
【００１８】
本発明における施解錠装置は、鍵部材を挿入する鍵穴として機能する部分を備えた鍵穴部を有し、鍵穴として機能する部分は、閉扉時には扉間の間隙又は扉と枠体の間隙と重なる位置に外部からは隠蔽されて配置されるので、施解錠装置、その施解錠装置を備えた収納装置、配送物収納装置及びその施解錠装置を解錠する鍵は、悪意のある者が鍵穴をピッキングすること等により不正に解錠することを防止することが可能となる。
【図面の簡単な説明】
【００１９】
【図１】本発明の実施の形態におけるロッカー装置を示す斜視図である。
【図２】本発明の実施の形態における施解錠装置を解錠する鍵部材の外観を示す斜視図である。
【図３】本発明の実施の形態における施解錠装置の正面図である。
【図４】本発明の実施の形態における施解錠装置の側面図である。
【図５】本発明の実施の形態における鍵部材を収納ボックスの扉間の間隙に挿入した状態を示す図である。
【図６】本発明の実施の形態における扉間の間隙に挿入した鍵部材をさらに回転させた状態を示す図である。
【図７】本発明の実施の形態における鍵部材を収納ボックスの扉間の間隙に挿入した状態を示す透過図である。
【図８】本発明の実施の形態における間隙に挿入した鍵部材を所定方向に回転させる途中の状態を示す透過図である。
【図９】本発明の実施の形態における間隙に挿入した鍵部材を所定方向に回転させ所定方向に移動させた状態を示す透過図である。
【発明を実施するための形態】
【００２０】
＜構成＞
図１は、本発明の実施の形態におけるロッカー装置１を示す斜視図である。
このロッカー装置１は、例えば、マンションや駅等の公共施設、コンビニエンスストア、その他商業施設等に設置され、配送業者により配送された配送物を一時預かる宅配ロッカー装置、又は郵便物や配送物が投函されるメールボックス装置であってもよい。
また、ロッカー装置１は、上記宅配ロッカー装置に、上記メールボックス装置の機能を加えたメールボックス一体型の宅配ロッカー装置であってもよい。
【００２１】
図に示すように、ロッカー装置１は、複数の収納ボックス２を有して構成されている。
そして、各収納ボックス２は、開口面を有して箱状に形成されその内部に物品が収納される収納室３と、その収納室２とヒンジ等で結合されその収納室２の開口面を閉止可能に構成される扉４と、その扉４の背面側に設けられている施錠用のフック５と、施錠時にはそのフック５と係合して収納ボックス２の施錠を行う施解錠装置１０とを有して構成される。
【００２２】
図に示すように、施解錠装置１０は収納室３の内部に設置されており、扉４の閉扉時には隠蔽されて外部からは確認することができないよう構成されている。
また、この施解錠装置１０の鍵穴に相当する部分は、扉４の閉扉時において複数の扉４間の間隙と重なる位置に設けられる。
解錠するときには、上記施解錠装置１０の鍵穴に相当する部分及びこれに重なる位置の扉４間の間隙に、後述する鍵部材を挿入する。
【００２３】
図２は、その施解錠装置１０を解錠する鍵部材２０の外観を示す斜視図である。
図に示すように、鍵部材２０は、指で掴んで持つための把持部２１と、棒状に形成されその一端が把持部２１と接合される柄部２２と、その棒状の柄部２２の他端が接合される先端部２３とを有して構成される。
また、図に示すように、先端部２３は、柄部２２に対して所定の角度（例えば略直角）で接合される。
【００２４】
この鍵部材２０を後述するように、施解錠装置１０の鍵穴に相当する箇所（後述の挿入間隙部１１）に挿入し、その鍵穴内において所定方向に移動させると、収納ボックス２を解錠し、扉４を開扉させることができる。
【００２５】
図３は、本発明の実施の形態における施解錠装置１０の正面図である。また、図４は、その施解錠装置１０の向かって右側面から見た側面図である。
図に示すように、施解錠装置１０は、鍵部材２０を挿入する鍵穴を構成する鍵穴部１１と、鍵穴部１１に挿入された鍵部材２０を所定の方向へ誘導するための鍵誘導部１２と、
施錠時には上記フック５と係合し、解錠時にはフック５を解放して収納ボックス２の施解錠を行う施解錠部１３と、鍵誘導部１２により誘導された鍵部材２０により押圧されることで施解錠部１３に係合されているフック５を解放させて解錠を行う解錠レバー１４とを有して構成される。
【００２６】
図に示すように、鍵穴部１１は、箱状又は筒状であり、少なくとも正面側が開口しており、鍵穴状の間隙３１が形成されている。
この鍵穴状の間隙３１は閉扉時の扉４間の間隙の一部と重なる位置に設けられている。
その扉４間の間隙の幅は非常に小さく構成されることから（例えば１〜３ｍｍ程度）、閉扉時には扉４の外側からは単なる扉４間のわずかな間隙としか認識できず、鍵穴状の間隙３１を確認することは困難である。
【００２７】
扉４の閉扉時にその扉４間の間隙の一部に鍵部材２０を挿入すると、その扉４間の間隙を介して上記鍵穴状の間隙３１にも挿入され、さらに、鍵部材２０を所定方向に回転及び移動させることにより施解錠装置１０を解錠させることができる。
このように、鍵穴状の間隙３１はロッカー装置１の扉４間の間隙の一部からのみ挿入可能であり、なおかつ閉扉時にはその位置が扉４の外側から確認することが困難であるので、その鍵穴状の間隙３１の存在及び位置を知っている者のみ解錠することができることから、極めて高い防犯性を実現することが可能となっている。
【００２８】
また、図に示すように、鍵穴部１１には、上記鍵穴状の間隙３１の他に、側面等の一部（例えば側面の奥側（背面側））に鍵回転用の間隙３２が形成されている。
施解錠装置１０の解錠を行うときには、鍵部材２０を鍵穴状の間隙３１に挿入した後に、先端部２３が鍵回転用の間隙３２に挿入されるように、鍵部材２０を柄部２２を軸にして所定方向に回転させる。
このように、鍵穴部１１の側面等の一部にのみ先端部２３が通過可能な鍵回転用の間隙３２を設けているので、その鍵回転用の間隙３２の存在及び位置を知っている者のみ解錠することができることから、極めて高い防犯性を実現することが可能となっている。
【００２９】
鍵誘導部１２は、図に示すように、鍵穴部１１と解錠レバー１４の間、鍵穴部１１の側面側に設けられており、鍵部材２０が解錠レバー１４に当接する位置まで誘導する。
【００３０】
この鍵誘導部１２には、鍵穴部１１と同様に、鍵部材２０の先端部２３が通過する間隙３３が設けられている。
上記の通り、鍵部材２０を鍵穴状の間隙３１に挿入して柄部２２を軸にして所定方向に回転させると、先端部２３が上記鍵回転用の間隙３２を通過し、さらに回転させると、先端部２３が間隙３３を通過する。
このように、鍵部材２０の先端部２３を、鍵回転用の間隙３２及び間隙３３の双方に通過させることにより、解錠レバー１４に対する先端部２３の位置が決まり、先端部２３を解錠レバー１４に容易に当接させることが可能となる。
【００３１】
また、図に示すように、鍵穴部１１及び鍵誘導部１２には、側面側から見て重なる位置に、切欠き３６，３７がそれぞれ設けられている。
これら切欠き３６，３７は、それぞれ間隙３２，３３と連続して、解錠レバー１４に接近する方向に向かって設けられている。
例えば、図の例では、解錠レバー１４は、間隙３２，３３よりも手前、正面側に設けられているので、切欠き３６，３７は、正面側方向が奥側となるよう設けられている。
また、これら切欠き３６，３７の幅（径）は、先端部２３の幅（径）と等しいか、又はわずかに大きく形成されており、この切欠き３６，３７の幅よりも大きな幅の物は、切欠き３６，３７の奥まで挿嵌できないよう構成されている。
【００３２】
上述したように、鍵部材２０を鍵穴部１１において回転させることにより、先端部２３を間隙３２，３３を通過させた後、先端部２３を切欠き３６，３７に挿嵌させ、手前側（正面側）に移動させると、先端部２３が解錠レバー１４に当接する。
そのまま、さらに鍵部材２０を手前側に引くと、先端部２３が解錠レバー１４を押圧し、解錠レバー１４が作動し、施解錠部１３は、これまで係合していたフック５を解放する。
このように、切欠き３６，３７は、鍵穴部１１に挿入された鍵部材２０の先端部２３を解錠レバー１４に当接しやすい位置まで的確に誘導するので、収納ボックス２を容易に解錠することが可能となる。
また、これら切欠き３６，３７は、閉扉時には扉４の外側からは認識することができないので、それら切欠き３６，３７の存在及び位置を知っている者のみ解錠することができることから、極めて高い防犯性を実現することが可能となっている。
さらに、これら切欠き３６，３７の幅（径）は、先端部２３の幅（径）と等しいか、又はわずかに大きく形成されていることから、鍵部材２０ではない、この切欠き３６，３７の幅よりも大きな幅の物は、切欠き３６，３７の奥まで挿嵌できず、解錠することができないので、極めて高い防犯性を実現することが可能となっている。
【００３３】
また、施解錠部１３及び解錠レバー１４は、既知の錠装置と同様であるので、その詳細な構成及び作用は省略する。
【００３４】
＜動作＞
図５は、鍵部材２０を収納ボックス２の扉４間の間隙６に挿入した状態を示す図である。
また、図６は、その扉４間の間隙６に挿入した鍵部材２０をさらに回転させた状態を示す図である。
以下、図５，６を用いて、鍵部材２０を用いて、施錠及び閉扉された収納ボックス２を解錠及び開扉させるときの動作について説明する。
【００３５】
上述したように、施解錠装置１０の鍵穴状の間隙３１は、扉４間の間隙６の一部とその位置が重なっている。閉扉時には、その鍵穴状の間隙３１の位置を扉４外部から確認することは困難である。
予め鍵穴状の間隙３１の存在及びその位置を確認済みのユーザは、図５に示すように、扉４間の間隙６のうち鍵穴状の間隙３１と重なっている箇所に、その間隙６の向きに合わせて鍵部材２０を挿入する。
【００３６】
上述のように、ユーザは、鍵部材２０を間隙６及び鍵穴状の間隙３１に挿入した後、図６に示すように、その鍵部材２０を所定方向に所定角度捻って回転させ、そのまま所定方向に移動させることで、施解錠装置１０が解錠する。
図６に示す例では、ユーザは、鍵部材２０を柄部２２を軸にして９０°向かって時計回りに捻って回転させ、そのまま鍵部材２０を手前側に引くことで施解錠装置１０が解錠される。
【００３７】
図７は、鍵部材２０を収納ボックス２の扉４間の間隙６に挿入した状態を示す透過図である。また、図８は、その間隙６に挿入した鍵部材２０を所定方向に回転させる途中の状態を示す透過図である。また、図９は、その間隙６に挿入した鍵部材２０を所定方向に回転させ所定方向に移動させた状態を示す透過図である。
これら図７〜９は、施解錠装置１０の解錠動作を説明するため扉４を省いた透過図である。
以下、これら図７〜９を用いて、施解錠装置１０による解錠動作についてさらに詳細に説明する。
【００３８】
図７に示すように、まず、ユーザは、鍵穴状の間隙３１の長手方向に先端部２３の延伸方向を合わせて、鍵部材２０の柄部２２及び先端部２３を鍵穴状の間隙３１に挿入する。
【００３９】
次に、ユーザは、図８に示すように、鍵部材２０を捻って回転させる。このとき、先端部２３は、間隙３２，３３を通過する。
【００４０】
そして、ユーザは、図９に示すように、先端部２３が間隙３２，３３を通過した状態のまま鍵部材２０を下方（底面側）に移動させ、さらに鍵部材２０を手前に引いて移動させる。このとき、先端部２３は切欠き３６，３７の奥まで挿嵌される。すると、先端部２３が解錠レバー１４に当接し、さらに押圧する。すると、解錠レバー１４が作動し、施解錠部１３は、扉４の背面に設けられているフック５を解放し、その結果、収納ボックス２の解錠及び開扉が行われる。
【００４１】
＜実施の形態のまとめ＞
以上説明したように、本実施の形態における施解錠装置１０によれば、閉扉時には外部から隠蔽され、鍵穴状の間隙３１が単なる扉４間の間隙にしか見えないので、その鍵穴状の間隙３１について予め知っている者以外は、そのロッカー装置１に鍵穴がどこにあるのか、あるいはそもそも存在するのかさえも認識することができず、極めて高い防犯性を実現することが可能となっている。
【００４２】
また、本実施の形態における施解錠装置１０によれば、鍵穴状の間隙３１に挿入された鍵部材２０を所定方向に捻って回転させたときに、その先端部２３が通過可能な間隙３２，３３が所定の位置に外部から隠蔽されて設けられている。
従って、悪意のある第三者等は、仮に鍵穴状の間隙３１に鍵部材２０又はこれに代わる物等を挿入できた場合であっても、その間隙３２，３３の存在及び位置を知らなければ、鍵部材２０をどれくらい奥まで挿入して、どの方向に回転させればよいかがわからず、施解錠装置１０を解錠することができない。
このように構成されていることから、本実施の形態における施解錠装置１０は、極めて高い防犯性を実現することが可能となっている。
【００４３】
また、本実施の形態における施解錠装置１０によれば、所定幅（径）の切欠き３６，３７が施解錠部１３を解錠する解除レバー１４に接近する方向に向かって間隙３２，３３と連続して設けられているので、それら切欠き間隙３６，３７の存在及び位置を知らなければ、鍵部材２０をどの位置で移動させて解錠レバー１４を押圧すればよいかがわからず、施解錠装置１０を解錠することができない。
このように構成されていることから、本実施の形態における施解錠装置１０は、極めて高い防犯性を実現することが可能となっている。
また、鍵部材２０以外のこれら切欠き３６，３７の幅（径）より大きな幅（径）の部材だと、これら切欠き３６，３７の奥まで挿嵌できず、解除レバー１４を解錠に十分な程度押圧することができない。
従って、悪意のある第三者が、たとえ鍵部材２０以外の他の部材で施解錠装置１０を解錠しようとしたとしても、施解錠装置１０を解錠させることはできず、極めて高い防犯性を実現することが可能となっている。
【００４４】
なお、上記の実施の形態は本発明の好適な実施の一例であり、本発明の実施の形態は、これに限定されるものではなく、本発明の要旨を逸脱しない範囲において種々変形して実施することが可能となる。
例えば、本実施の形態では、鍵部材２０の先端部２３が通過可能な間隙３２は鍵穴状の間隙３１の奥（背面方向）の側面側に配置され、間隙３３は鍵誘導部１２において側面視、間隙３２と重なる位置に配置されているが、これに限定されない。
鍵部材２０の方向を変えたとき、鍵部材２０の先端部２３が通過可能な間隙であれば、その配置位置を本実施の形態において例示した位置以外の他の位置とすることも可能である。
つまり、間隙３２，３３及び切欠き３６，３７は、鍵穴状の間隙３１の側面方向以外の、例えば、上面方向又は底面方向に設けられてもよい。また、これに応じて、解錠レバー１４及び施解錠部１３の配置も適宜変更されてもよい。
【００４５】
また、本実施の形態では、鍵穴状の間隙３１は、正面側から見て、閉扉時の複数の扉４の間の間隙６と重なる位置に配置されているが、ロッカー装置１におけるその他の間隙と重なる位置に配置されるように構成されるようにしてもよい。
例えば、鍵穴状の間隙３１は、閉扉時において、扉４と収納室２を構成する枠体との間の間隙とその位置が重なるように構成してもよい。
【００４６】
また、本実施の形態によれば、上記間隙３２，３３及びこれらとそれぞれ連続して設けられる切欠き３６，３７は、解錠レバー１４の背面側に配置されていたが、切欠き３６，３７が解錠レバー１４の作動方向へ向かって設けられていれば、それら相対的位置はこれに限定されない。
【００４７】
また、本実施の形態によれば、施解錠部１３は、施錠時には扉４背面に設けられたフック５を係合し、解錠時にはそのフック５を解放するよう構成されているが、解錠レバー１４等の物理的な位置変位に基づいて解錠する構成であれば、これに限定されない。
【００４８】
また、本実施の形態によれば、施解錠装置１０を収納装置、いわゆるロッカー装置１に設置した例について説明したが、開閉可能・施解錠可能な扉を備えた構造物（扉付き構造物）であれば、その他の物に設置することも可能である。
例えば、配電盤、金庫、遊技機、自動販売機又はレンタル用物品の収納貸出装置等、通常時には扉で封止することが必要なものにも施解錠装置１０を設置することができる。
また、例えば、電動車両（ＥＶ車等）の充電装置の充電口の蓋等の蓋で封止することが必要なものにも施解錠装置１０を設置することができる。
【符号の説明】
【００４９】
１    ロッカー装置
２    収納ボックス
３    収納室
４    扉
５    フック
６    扉間の間隙
１０    施錠解錠装置
１１    鍵穴部
１２    鍵誘導部
１３    施解錠部
１４    解錠レバー
２０    鍵部材
２１    把持部
２２    柄部
２３    先端部
３１    鍵穴状の間隙
３２    鍵回転用の間隙
３３    間隙
【図１】
2015014106.tif 000003
【図２】
2015014106.tif 000004
【図３】
2015014106.tif 000005
【図４】
2015014106.tif 000006
【図５】
2015014106.tif 000007
【図６】
2015014106.tif 000008
【図７】
2015014106.tif 000009
【図８】
2015014106.tif 000010
【図９】
2015014106.tif 000011